(57)【要約】【課題】ワイドエリアの切り替えを迅速に行なうことが可能な受信装置を提供する。【解決手段】受信装置は、受信データから第１放送エリアの識別子を算出する識別子算出部と、受信データから第１放送に関する情報を識別子を用いて求めるとともに誤り検出を行なう第１放送エリア情報処理部と、受信データから第２放送に関する情報を少なくとも識別子を用いて求めるとともに誤り検出を行なう第２放送エリア情報処理部と、第１放送を受信中に識別子算出部が算出する識別子の変化を検出すると、変化後の前記識別子を用いた第２放送エリア情報処理部による誤り検出結果に応じて第１放送エリア情報処理部で使用する識別子を変更するか否かを制御し、誤り検出結果が無誤りを示す場合に識別子を変更する識別子変更部を含む。【選択図】図５
2011030086.tif 000002
【特許請求の範囲】
【請求項１】
受信データから第１放送エリアの識別子を算出する識別子算出部と、
前記受信データから第１放送に関する情報を前記識別子を用いて求めるとともに誤り検出を行なう第１放送エリア情報処理部と、
前記受信データから第２放送に関する情報を少なくとも前記識別子を用いて求めるとともに誤り検出を行なう第２放送エリア情報処理部と、
前記第１放送を受信中に前記識別子算出部が算出する前記識別子の変化を検出すると、変化後の前記識別子を用いた前記第２放送エリア情報処理部による誤り検出結果に応じて前記第１放送エリア情報処理部で使用する前記識別子を変更するか否かを制御し、前記誤り検出結果が無誤りを示す場合に前記第１放送エリア情報処理部で使用する前記識別子を変更する識別子変更部
を含むことを特徴とする受信装置。
【請求項２】
前記識別子変更部は、前記第１放送を受信中に前記識別子算出部が算出する前記識別子の変化を検出すると前記第２放送エリア情報処理部の動作を開始させることを特徴とする請求項１記載の受信装置。
【請求項３】
前記識別子変更部は、前記第１放送を受信中に前記識別子算出部が算出する前記識別子の変化を検出すると、前記識別子算出部が算出する前記識別子が所定回数連続して同一値を維持するか否かを判定し、所定回数連続して同一値を維持する場合に前記第１放送エリア情報処理部で使用する前記識別子を変更することを特徴とする請求項１又は２記載の受信装置。
【請求項４】
前記第２放送エリア情報処理部により求めた前記第２放送に関する情報に基づいて前記第２放送の復調処理を行なう第２放送エリアデータ処理部を更に含み、前記識別子変更部は、前記第１放送を受信中に前記識別子算出部が算出する前記識別子の変化を検出すると前記第２放送エリア情報処理部の動作を開始させるが前記第２放送エリアデータ処理部は動作させないことを特徴とする請求項１乃至３何れか一項記載の受信装置。
【請求項５】
第１放送を受信中に受信データから求めた識別子の変化の有無を判定し、
前記識別子の変化が有りと判定した場合に、変化後の前記識別子を用いた前記受信データの復号処理を、第２放送に関する受信データに対して行なって誤り検出を行ない、
前記誤り検出結果が無誤りを示す場合に第１放送の受信に用いる前記識別子を更新する
各段階を含むことを特徴とする放送受信の切り替え方法。
【発明の詳細な説明】
【技術分野】
【０００１】
本願開示は、一般に画像通信技術に関し、詳しくは受信装置及び放送受信の切り替え方法に関する。
【背景技術】
【０００２】
近年、携帯用端末が広く普及しており、携帯用端末でテレビジョン放送を視聴する機会が広がってきている。次世代の携帯用端末において、テレビジョン放送を含めた様々なコンテンツを提供することが考えられている。そのためには、多くの情報を携帯用端末に伝送する必要があり、それを実現するために新しい方式が提案されている。提案されている方式で特に周波数効率がよく、少ない周波数帯域で多くの情報を提供できる方式を、特徴とするＭｅｄｉａＦＬＯの規格が注目されている。ＭｅｄｉａＦＬＯは米国のクアルコム（ＱＵＡＬＣＯＭＭ）が開発して推進している携帯電話機向けのマルチメディア配信方式である。米国では商用サービスが２００７から提供されており、日本でも導入のための検討が進められている。
【０００３】
ＭｅｄｉａＦＬＯの放送システムでは、ワイドエリア放送とローカルエリア放送との２つの放送を１つのシステムで同時に放送することが可能になっている。ワイドエリア放送では、広い地域の多数の人を対象とした情報を提供し、ローカルエリア放送では特定の地域に密着した情報を提供することが可能である。このように、ＭｅｄｉａＦＬＯのシステムでは、受信者に対して様々な内容を提供することができる。
【０００４】
ＭｅｄｉａＦＬＯでは、１秒間に１スーパーフレーム長のデータを送信する。１つのスーパーフレームには、ワイドエリアの情報とローカルエリアの情報との２種類の放送の情報が含まれて送信される。ワイドエリアの情報を受信するためにはスーパーフレームの先頭領域にあるＷＩＣ（Wide-area Identification Channel）を解析して、ＷＩＤという一意の値を求める必要がある。このＷＩＤの値は、同一のワイドエリア内においては一定の値である。またローカルエリアの情報を受信するためには、スーパーフレームの先頭領域にあるＬＩＣ（Local-area Identification Channel）を解析して、ＬＩＤという一意の値を求める必要がある。ＬＩＤの値も、同一のローカルエリア内においては同一の値である。なお、ローカルエリアの情報を受信するためには、ＬＩＤだけでなく当該ローカルエリアが含まれるワイドエリアのＷＩＤの値も使用する必要がある。
【０００５】
ワイドエリアの放送を視聴しながら、ワイドエリア間を移動する場合を想定する。この場合、受信に使用するＷＩＤを、移動前のワイドエリアのＷＩＤから移動後のワイドエリアのＷＩＤに切り替える必要がある。従来の手法では、雑音で誤ったＷＩＤを用いて受信処理を行なうことを避けるために、現在使用中のＷＩＤの値とは異なるＷＩＤの値が、複数回連続して同一値として検出された場合に、現在使用中のＷＩＤの値から新しく取得したＷＩＤの値へと変更している。この手法では、新しいＷＩＤが誤りなく受信されても、実際にその新しいＷＩＤを使用して放送受信するまでには、ある程度の時間が必要になるという問題がある。従って、ワイドエリアの放送を視聴している時に、ワイドエリア間を移動した場合、ＷＩＤが切り替わるまでの暫くの間、ユーザは新しいワイドエリアの放送を選択できないという問題があった。
【先行技術文献】
【特許文献】
【０００６】
【特許文献１】特開２００６−１４８９２４号公報
【特許文献２】特開２００７−２０１８４号公報
【発明の概要】
【発明が解決しようとする課題】
【０００７】
以上を鑑みると、ワイドエリアの切り替えを迅速に行なうことが可能な受信装置が望まれる。
【課題を解決するための手段】
【０００８】
受信装置は、受信データから第１放送エリアの識別子を算出する識別子算出部と、前記受信データから第１放送に関する情報を前記識別子を用いて求めるとともに誤り検出を行なう第１放送エリア情報処理部と、前記受信データから第２放送に関する情報を少なくとも前記識別子を用いて求めるとともに誤り検出を行なう第２放送エリア情報処理部と、前記第１放送を受信中に前記識別子算出部が算出する前記識別子の変化を検出すると、変化後の前記識別子を用いた前記第２放送エリア情報処理部による誤り検出結果に応じて前記第１放送エリア情報処理部で使用する前記識別子を変更するか否かを制御し、前記誤り検出結果が無誤りを示す場合に前記第１放送エリア情報処理部で使用する前記識別子を変更する識別子変更部を含むことを特徴とする。
【０００９】
第１放送受信の切り替え方法は、第１放送を受信中に受信データから求めた識別子の変化の有無を判定し、前記識別子の変化が有りと判定した場合に、変化後の前記識別子を用いた前記受信データの復号処理を、第２放送に関する受信データに対して行なって誤り検出を行ない、前記誤り検出結果が無誤りを示す場合に第１放送の受信に用いる前記識別子を更新する各段階を含むことを特徴とする。
【発明の効果】
【００１０】
本願開示の少なくとも１つの実施例によれば、ワイドエリア放送を受信中にワイドエリアの切り替えを迅速に行なうことができる。この結果、ユーザは、新しいワイドエリアに移動した際にそのエリアでの放送を直ちに選択でき、新しいワイドエリアでの所望の放送を視聴することが可能になる。
【図面の簡単な説明】
【００１１】
【図１】ＭｅｄｉａＦＬＯにおけるワイドエリアとローカルエリアとの関係を示す図である。
【図２】スーパーフレームの先頭領域の構成を示す図である。
【図３】ＷＩＤの切り替えのタイミングを示す図である。
【図４】携帯端末の構成の一例を示す図である。
【図５】図３に示す復調部の構成の一例を示す図である。
【図６】ＷＩＤ変更検出・確定部の構成の一例を示す図である。
【図７】ＬＩＤ変更検出・確定部の構成の一例を示す図である。
【図８】図５のＷＩＤ・ＬＩＤ選択制御部の回路構成の一例を示す図である。
【図９】図５のローカルエリア動作制御部の回路構成の一例を示す図である。
【図１０】図５のＷＩＤ変更判定部の構成の一例を示す図である。
【図１１】復調部のワイドエリア放送受信時の動作を示すフローチャートである。
【発明を実施するための形態】
【００１２】
以下に、本発明の実施例を添付の図面を用いて詳細に説明する。
【００１３】
図１は、ＭｅｄｉａＦＬＯにおけるワイドエリアとローカルエリアとの関係を示す図である。図１に示す例では、ワイドエリア１０とワイドエリア１１とが隣接しており、重複領域がある。ワイドエリア１０はローカルエリア１２乃至１４を含み、ワイドエリア１１はロ―カルエリア１５乃至１７を含む。受信装置である携帯端末１８が例えばローカルエリア１４内に位置するとき、この携帯端末１８はローカルエリア１４におけるローカルエリア放送又はワイドエリア１０におけるワイドエリア放送を視聴することができる。ローカルエリア放送又はワイドエリア放送の何れを視聴するかは、携帯端末１８をユーザが操作して選択することができる。ワイドエリア放送を視聴している間においては、一般にはローカルエリア放送を視聴しないので、ローカルエリア放送の受信処理は不要である。従って、携帯端末１８が消費電力を削減して長時間動作するために、ワイドエリア放送を視聴してある間、ローカルエリアの受信処理を止めることが好ましい。
【００１４】
携帯端末１８が移動してワイドエリア１０とワイドエリア１１との重複領域に入ると、ワイドエリア１０からワイドエリア１１への切り替えを行ない、ワイドエリア１１のワイドエリア放送を視聴することができる。この際、ワイドエリア放送の受信に用いるワイドエリア識別子であるＷＩＤを、ワイドエリア１０のＷＩＤからワイドエリア１１のＷＩＤに切り替える必要がある。具体的には、受信データから抽出されたＷＩＤに変化が検出されると、変化後のＷＩＤがノイズによるものでないことを確認する。変化後のＷＩＤがノイズによるものでないことが確認されると、現在使用しているＷＩＤから変化後の新たなＷＩＤに切り替えて、変化後の新たなＷＩＤを用いたワイドエリア放送の受信処理を行なう。実施例の携帯端末１８は、変化後のＷＩＤがノイズによるものでないことを確認するために、受信データ中に含まれるローカルエリアＯＩＳ（Overhead Information Symbol）を利用する。
【００１５】
図２は、スーパーフレームの先頭領域の構成を示す図である。スーパーフレームは、時分割多重パイロット領域及びオーバーヘッド情報シンボル領域と、それに続く４つのフレーム及び予備領域とを含む。図２には、時分割多重パイロット領域２０及びオーバーヘッド情報シンボル領域２１を示す。時分割多重パイロット領域２０は、ＴＤＭパイロット１、ＷＩＣ（Wide-area Identification Channel）、ＬＩＣ（Local-area identification channel）、及びＴＤＭパイロット２を含む。ＴＤＭパイロット１は、最初のＯＦＤＭ（Orthogonal Frequency Division Multiplexing）シンボルであり、スーパーフレームの開始点を示す。ＷＩＣは、ワイドエリアを特定するＩＤ情報であるＷＩＤを含む。またＬＩＣは、ローカルエリアを特定するＩＤ情報であるＬＩＤを含む。ＴＤＭパイロット２は、時分割多重パイロット領域２０の終了点を示す。
【００１６】
オーバーヘッド情報シンボル領域２１は、一対のＷＴＰＣ（Wide Transmission Pilot Channel）、ワイドエリアＯＩＳ（Wide-area OIS）、一対のＬＴＰＣ（Local Transmission Pilot Channel）、及びローカルエリアＯＩＳ（Local-area OIS）を含む。一番目のＷＴＰＣはワイドエリアＯＩＳの開始点を示し、２番目のＷＴＰＣはワイドエリアＯＩＳの終了点を示す。ワイドエリアＯＩＳには、ワイドエリア放送のコンテンツの論理チャネルの位置を示すデータが含まれる。実際のコンテンツの各論理チャネルのデータは、オーバーヘッド情報シンボル領域２１に後続する４つのフレームに含まれている。携帯端末１８の復調器は、ワイドエリアＯＩＳを参照することにより、ワイドエリア放送の所望の論理チャネルの位置を特定することができる。携帯端末１８でのワイドエリア放送の番組切り替え（チャネル選択）は、ワイドエリアＯＩＳが指し示す複数の論理チャネルのうちで、ある論理チャネルから別の論理チャネルに参照先を切り替えることに相当する。なお複数の論理チャネルを参照先として特定することにより、複数論理チャネルを同時に受信することができる。一番目のＬＴＰＣはローカルエリアＯＩＳの開始点を示し、２番目のＬＴＰＣはローカルエリアＯＩＳの終了点を示す。ローカルエリアＯＩＳには、ローカルエリア放送のコンテンツの論理チャネルの位置を示すデータが含まれる。携帯端末１８の復調器は、ローカルエリアＯＩＳを参照することにより、ローカルエリア放送の所望の論理チャネルの位置を特定することができる。携帯端末１８でのローカルエリア放送の番組切り替え（チャネル選択）は、ローカルエリアＯＩＳが指し示す複数の論理チャネルのうちで、ある論理チャネルから別の論理チャネルに参照先を切り替えることに相当する。
【００１７】
上記のワイドエリアＯＩＳのデータをデコード処理して論理チャネルの位置を示すデータを得るためには、ＷＩＣから算出したＷＩＤが必要になる。またローカルエリアＯＩＳのデータをデコード処理して論理チャネルの位置を示すデータを得るためには、ＷＩＣから算出したＷＩＤとＬＩＣから算出したＬＩＤとの両方が必要になる。ＷＩＤとＬＩＤとが正しい値であるときにのみ、ローカルエリアＯＩＳのデータを正しく解析することができる。ＷＩＤとＬＩＤとの何れか一方でも誤っていれば、ローカルエリアＯＩＳのデータを正しく解析することができない。ローカルエリアＯＩＳには、ＣＲＣ（Cyclic Redundancy Code）が含まれているので、ＣＲＣチェックによりローカルエリアＯＩＳのデータが正しく求められたか否かを判定することができる。
【００１８】
通常、ワイドエリア放送を視聴している間においては、ローカルエリア放送を視聴しないので、ローカルエリア放送の受信処理は不要である。従って、ワイドエリア放送視聴中には、ローカルエリアＯＩＳの解析処理は行なう必要がない。それに対して本実施例による携帯端末１８では、ワイドエリア放送視聴中（受信中）にＷＩＤの変化を検出すると、ローカルエリアＯＩＳの解析処理（デコード処理）を実行する。これによりＷＩＤとＬＩＤとが正しい値であるか否かを判定する。ＣＲＣチェックの判定結果が誤り無しであることを示すときには、ＷＩＤ及びＬＩＤともに正しいことが補償されることになる。この場合には、ワイドエリアＯＩＳの解析処理（デコード処理）に用いるＷＩＤを、現在使用中のＷＩＤから変化後の新たなＷＩＤに変更する。
【００１９】
図３は、ＷＩＤの切り替えのタイミングを示す図である。第１のワイドエリア（図中のWide-area 1）から第２のワイドエリア（図中のWide-area 2）に移動する際のＷＩＤの切り替えのタイミングが示される。図３（ａ）には従来技術の動作を示し、現在使用中のＷＩＤの値とは異なるＷＩＤの値が、複数回連続して同一値として検出された場合に、現在使用中のＷＩＤの値から新しく取得したＷＩＤの値へと変更している。この場合、新しいＷＩＤ（第２のワイドエリアのＷＩＤ）を取得し始めてから、この新しいＷＩＤへの切り替えが終了するまでには、複数のスーパーフレームの時間を必要とする。図３（ｂ）には本実施例のＷＩＤ切り替えの動作を示し、現在使用中のＷＩＤの値とは異なるＷＩＤの値が取得されると、その時点のスーパーフレームにおいて直ちにローカルエリアＯＩＳの解析を行ないＷＩＤの正誤を判定する。ＷＩＤが正しいと判定されると、現在使用中のＷＩＤの値から新しく取得したＷＩＤの値へと変更する。この場合、新しいＷＩＤ（第２のワイドエリアのＷＩＤ）を取得し始めてから、この新しいＷＩＤへの切り替えが終了するまでには、１スーパーフレームの時間が必要なだけである。
【００２０】
図４は、本実施例の携帯端末の構成の一例を示す図である。図４に示す携帯端末は、チューナー部２５、同期・検波部２６、復調部２７、画像処理部２８、及び表示部２９を含む。チューナー部２５は、アンテナで受信した受信信号を受け取りＩＦ信号（中間周波数信号）を出力する。同期・検波部２６は、チューナー部２５からのＩＦ信号を受け取り、同期及び検波を行ない、ベースバンド信号を出力する。復調部２７は、同期・検波部２６からの同期・検波後の信号を受け取り、復調処理を行ない、復調後の信号を出力する。画像処理部２８は、復調部２７からの復調後の信号に対してデコード処理を実行することにより、映像信号及び音声信号を含む出力信号を生成する。表示部２９は、画像処理部２８からの出力信号に含まれる映像信号をディスプレイに表示する。出力信号に含まれる音声信号は、表示部２９に付随するスピーカ等を介して出力される。
【００２１】
図５は、図４に示す復調部２７の構成の一例を示す図である。図５に示す復調部２７は、ＷＩＤ算出部３０、ＷＩＤ変更検出・確定部３１、ＷＩＤレジスタ３２、ワイドエリアＯＩＳ処理部３３、ワイドエリアデータ処理部３４、及びＷＩＤ・ＬＩＤ選択制御部３５を含む。また受信回路は更に、ローカルエリア動作制御部３６、ＬＩＤ算出部３７、ＬＩＤ変更検出・確定部３８、ＬＩＤレジスタ３９、ローカルエリアＯＩＳ処理部４０、ローカルエリアデータ処理部４１、ＷＩＤ変更判定部４２、及びスイッチ回路４３及び４４を含む。
【００２２】
ＷＩＤ算出部３０は、同期検波後の受信データを受け取り、受信データからワイドエリアの識別子であるＷＩＤを算出する。このＷＩＤの算出は、受信データのＷＩＣを解析することにより行なわれる。算出したＷＩＤは、ＷＩＤレジスタ３２に供給され、ＷＩＤ変更検出・確定部３１の制御下でＷＩＤレジスタ３２に格納される。ワイドエリアＯＩＳ処理部３３は、ワイドエリア放送のコンテンツの論理チャネルの位置を示すデータを、ＷＩＤレジスタ３２に格納されるＷＩＤを用いて受信データから求めるとともに、誤り検出を行なう。即ち、ワイドエリアＯＩＳをデコードすることにより、ワイドエリア放送のコンテンツの論理チャネルの位置を示すデータを求める。この際、ワイドエリアＯＩＳに含まれるＣＲＣによりＣＲＣチェックを行ない、誤りの有無を検出する。ワイドエリアデータ処理部３４は、ワイドエリアＯＩＳ処理部３３により求めたワイドエリア放送のコンテンツの論理チャネルの位置を示すデータに基づいて、ワイドエリア放送の復調処理を行なう。即ち、所望のチャネルのデータを復調して、復調後のデータを生成する。
【００２３】
ＬＩＤ算出部３７は、受信データからローカルエリアの識別子であるＬＩＤを算出する。このＬＩＤの算出は、受信データのＬＩＣを解析することにより行なわれる。なおＬＩＤ算出部３７は、ＬＩＣの解析に際してＷＩＤを使用する。通常は、スイッチ回路４３の切り替え端子は、ＷＩＤレジスタ３２の出力に接続されている。ワイドエリア放送を受信中であり且つ算出したＷＩＤに変化が検出されると、スイッチ回路４３の切り替え端子は、ＷＩＤ算出部３０の出力に接続される。即ち通常は、スイッチ回路４３を介して、ＷＩＤレジスタ３２に格納されるＷＩＤがＬＩＤ算出部３７に供給される。ワイドエリア放送を受信中であり且つ算出したＷＩＤに変化が検出されると、スイッチ回路４３が切り替わり、ＷＩＤレジスタ３２に格納されるＷＩＤではなく、ＷＩＤ算出部３０が出力するＷＩＤがＬＩＤ算出部３７に供給される。
【００２４】
ＬＩＤ算出部３７が算出したＬＩＤは、ＬＩＤレジスタ３９に供給され、ＬＩＤ変更検出・確定部３８の制御下でＬＩＤレジスタ３９に格納される。ローカルエリアＯＩＳ処理部４０は、ローカルエリア放送のコンテンツの論理チャネルの位置を示すデータを、ＷＩＤとＬＩＤとを用いて受信データから求めるとともに、誤り検出を行なう。即ち、ローカルエリアＯＩＳをデコードすることにより、ローカルエリア放送のコンテンツの論理チャネルの位置を示すデータを求める。この際、ローカルエリアＯＩＳに含まれるＣＲＣによりＣＲＣチェックを行ない、誤りの有無を検出する。ローカルエリアデータ処理部４１は、ローカルエリアＯＩＳ処理部４０により求めたローカルエリア放送のコンテンツの論理チャネルの位置を示すデータに基づいて、ローカルエリア放送の復調処理を行なう。即ち、所望のチャネルのデータを復調して、復調後のデータを生成する。
【００２５】
ローカルエリアＯＩＳ処理部４０において使用するＷＩＤはスイッチ回路４３を介して供給され、ＬＩＤはスイッチ回路４４を介して供給される。通常は、スイッチ回路４４の切り替え端子は、ＬＩＤレジスタ３９の出力に接続されている。ワイドエリア放送を受信中であり且つ算出したＷＩＤに変化が検出されると、スイッチ回路４４の切り替え端子は、ＬＩＤ算出部３７の出力に接続される。即ちこの場合、確定前の新規のＷＩＤ及びＬＩＤを用いて、ローカルエリアＯＩＳ処理部４０の処理が行なわれる。
【００２６】
ＷＩＤ変更判定部４２は、ローカルエリアＯＩＳ処理部４０のＣＲＣ判定結果に応じて、ＷＩＤレジスタ３２のＷＩＤを変更するか否かを制御する信号ＣＮＴＬを生成し、その制御信号ＣＮＴＬをＷＩＤ変更検出・確定部３１に供給する。ＷＩＤ変更検出・確定部３１は、ＷＩＤを変更するか否かを制御する信号ＣＮＴＬに応じて、ＷＩＤ算出部３０が新たに検出したＷＩＤをＷＩＤレジスタ３２に格納するか否かを制御する。具体的には、ＣＲＣ判定結果が無誤りを示す場合に、ＷＩＤ算出部３０が出力するＷＩＤをＷＩＤレジスタ３２に書き込むように、ＷＩＤ変更検出・確定部３１がＷＩＤレジスタ３２への書込み信号をアサートする。またＷＩＤ変更検出・確定部３１は、ワイドエリア放送を受信中にＷＩＤ算出部３０が算出するＷＩＤの変化を検出すると、ＷＩＤ算出部３０が算出するＷＩＤが所定回数連続して同一値（変化後の値）を維持するか否かを判定する。所定回数連続して同一値を維持したと判定した場合に、ＷＩＤ変更検出・確定部３１は、ＷＩＤレジスタ３２のＷＩＤを変更する。即ち、ＷＩＤ算出部３０が出力するＷＩＤをＷＩＤレジスタ３２に書き込むように、ＷＩＤ変更検出・確定部３１が、ＷＩＤレジスタ３２への書込み信号をアサートする。なお上記所定回数は、ＷＩＤ変更検出・確定部３１に印加される回数データにより指定される。このような構成とすることで、ＣＲＣ判定結果に基づくＷＩＤ切り替えに失敗しても、現在使用中のＷＩＤの値とは異なるＷＩＤの値が複数回連続して同一値として検出された場合に、現在使用中のＷＩＤの値から新しく取得したＷＩＤの値へと変更する。即ち、図３（ｂ）に示す動作が仮に失敗したとしても、図３（ａ）に示す動作が実行されて、確実にＷＩＤが切り替わることを確保している。
【００２７】
ＷＩＤ変更検出・確定部３１は、ＷＩＤ算出部３０の算出するＷＩＤが変化すると、ＷＩＤ・ＬＩＤ選択制御部３５及びローカルエリア動作制御部３６に対して、ＷＩＤ変化を示す信号ＷＣＨをアサートする。ＷＩＤ・ＬＩＤ選択制御部３５は、ワイドエリア放送を視聴（受信）しているか否かを示す信号を受け取る。ワイドエリア放送受信中であるか否かに関わらず、ＷＩＤ・ＬＩＤ選択制御部３５は、通常は、スイッチ回路４３の切り替え端子をＷＩＤレジスタ３２の出力側に接続し、スイッチ回路４４の切り替え端子をＬＩＤレジスタ３９の出力側に接続する。ワイドエリア放送受信中で且つＷＩＤ変化を示す信号ＷＣＨがアサートされると、ＷＩＤ・ＬＩＤ選択制御部３５は、スイッチ回路４３の切り替え端子をＷＩＤ算出部３０の出力側に接続し、スイッチ回路４４の切り替え端子をＬＩＤ算出部３７の出力側に接続する。
【００２８】
ローカルエリア動作制御部３６は、ワイドエリア放送を視聴（受信）しているか否かを示す信号とローカルエリア放送を視聴（受信）しているか否かを示す信号とを受け取る。ローカルエリア放送を受信している場合、ローカルエリア動作制御部３６は、ブロック４７に含まれる各部を動作させる。即ち、ＬＩＤ算出部３７、ＬＩＤ変更検出・確定部３８、ＬＩＤレジスタ３９、ローカルエリアＯＩＳ処理部４０、ローカルエリアデータ処理部４１、及びスイッチ回路４４を動作させる。ワイドエリア放送を受信している場合、ＷＩＤの変化が検出されない限り、ローカルエリア動作制御部３６は、ローカルエリア関連の各部を動作させない。ワイドエリア放送を受信中にＷＩＤ変化を示す信号ＷＣＨがアサートされると、ローカルエリア動作制御部３６は、ブロック４６に含まれる各部を動作させる。即ち、ＬＩＤ算出部３７、ＬＩＤ変更検出・確定部３８、ＬＩＤレジスタ３９、ローカルエリアＯＩＳ処理部４０、ＷＩＤ変更判定部４２、及びスイッチ回路４４を動作させる。このとき、ローカルエリア放送を視聴していないので、ローカルエリアデータ処理部４１は動作させない。
【００２９】
図６は、ＷＩＤ変更検出・確定部３１の構成の一例を示す図である。ＷＩＤ変更検出・確定部３１は、遅延回路５０、比較回路５１、カウンタ５２、値判定部５３、及びＯＲ回路５４を含む。遅延回路５０は例えばＤフリップフロップ等で実現され、図５のＷＩＤ算出部３０が算出したＷＩＤを受け取り、１スーパーフレーム分遅延させる。比較回路５１は、ＷＩＤ算出部３０から受け取る現在のスーパーフレームのＷＩＤと遅延回路５０から受け取る直前のスーパーフレームのＷＩＤとを比較する。２つのＷＩＤが互いに異なる場合、比較回路５１は、ＷＩＤの変化を示す信号ＷＣＨをアサートする。２つのＷＩＤが互いに同一である場合、比較回路５１は、ＷＩＤの変化を示す信号ＷＣＨをネゲートする。カウンタ５２は、信号ＷＣＨがアサートされると０にリセットされる。カウンタ５２は、信号ＷＣＨがネゲート状態である場合にスーパーフレーム毎に１ずつカウントアップすることにより、同一のＷＩＤ値が連続するスーパーフレームの個数をカウントする。カウンタ５２のカウント値は、最大値に到達すると、再度リセットされるまで最大値に留まるものとする。値判定部５３は、カウンタ５２のカウント値が回数データの示す値と等しくなると、出力信号をＨＩＧＨにする。ＯＲ回路５４は、値判定部５３の出力信号とＷＩＤ変更判定部４２からの制御信号ＣＮＴＬとの何れかがＨＩＧＨにアサートされると、その出力信号をＨＩＧＨにアサートする。ＯＲ回路５４の出力がＨＩＧＨにアサートされると、図５のＷＩＤレジスタ３２に対してレジスタ書込みが指示される。
【００３０】
図６の構成では、現在のスーパーフレームのＷＩＤと直前のスーパーフレームのＷＩＤとが異なるときのみ、ＷＩＤの変化を示す信号ＷＣＨをアサートしている。これに対して、図５のＷＩＤレジスタ３２の格納ＷＩＤ値をＷＩＤ変更検出・確定部３１に供給し、ＷＩＤレジスタ３２の格納ＷＩＤとＷＩＤ算出部３０の算出ＷＩＤとが異なる場合にも信号ＷＣＨがアサート状態になるような構成としてもよい。このような構成とすれば、格納ＷＩＤと算出ＷＩＤとが異なる間は、信号ＷＣＨがアサート状態に維持される。このとき、カウンタ５２は、現在のスーパーフレームのＷＩＤと直前のスーパーフレームのＷＩＤが同じ場合に、スーパーフレーム毎に1ずつカウントアップする。そのため、同一のＷＩＤが連続するスーパーフレームの個数がカウントされる。カウンタ５２のカウンタ値は、最大値に達すると、再度リセットされるまで最大値に留まるものとする。カウンタ５２は、現在のスーパーフレームのＷＩＤと直前のスーパーフレームのＷＩＤが異なる場合に０にリセットされる。従ってその間、ローカルエリアＯＩＳ処理部４０の処理とＷＩＤ変更判定部４２による判定とが実行され、例えば最初のＷＩＤの変化時にはＬＩＤがノイズで誤った場合でも、その後、所定回数のスーパーフレームを待つことなくＷＩＤを変更できる可能性がある。
【００３１】
図７は、ＬＩＤ変更検出・確定部３８の構成の一例を示す図である。ＬＩＤ変更検出・確定部３８は、遅延回路６０、比較回路６１、カウンタ６２、及び値判定部６３を含む。遅延回路６０は例えばＤフリップフロップ等で実現され、図５のＬＩＤ算出部３７が算出したＬＩＤを受け取り、１スーパーフレーム分遅延させる。比較回路６１は、ＬＩＤ算出部３７から受け取る現在のスーパーフレームのＬＩＤと遅延回路６０から受け取る直前のスーパーフレームのＬＩＤとを比較する。２つのＬＩＤが互いに異なる場合、比較回路６１は、その出力信号をアサートする。２つのＬＩＤが互いに同一である場合、比較回路６１は、その出力信号をネゲートする。カウンタ６２は、比較回路６１の出力信号がアサートされると０にリセットされる。カウンタ６２は、比較回路６１の出力信号がネゲート状態である場合にスーパーフレーム毎に１ずつカウントアップすることにより、同一のＬＩＤ値が連続するスーパーフレームの個数をカウントする。カウンタ６２のカウント値は、最大値に到達すると、再度リセットされるまで最大値に留まるものとする。値判定部６３は、カウンタ６２のカウント値が回数データの示す値と等しくなると、出力信号をＨＩＧＨにする。値判定部６３の出力がＨＩＧＨにアサートされると、図５のＬＩＤレジスタ３９に対してレジスタ書込みが指示される。
【００３２】
図８は、図５のＷＩＤ・ＬＩＤ選択制御部３５の回路構成の一例を示す図である。ＷＩＤ・ＬＩＤ選択制御部３５は、ＡＮＤ回路７０を含む。ＡＮＤ回路７０は、ワイドエリアを視聴していることを示す信号がＨＩＧＨにアサートされ且つＷＩＤの変化を示す信号ＷＣＨがＨＩＧＨにアサートされると、その出力をＨＩＧＨにアサートする。このＡＮＤ回路７０の出力に応じて、図５のスイッチ回路４３及び４４が制御される。
【００３３】
図９は、図５のローカルエリア動作制御部３６の回路構成の一例を示す図である。ローカルエリア動作制御部３６は、ＡＮＤ回路８１、ＨＩＧＨを格納するレジスタ８２、ＬＯＷを格納するレジスタ８３、スイッチ８４、及びスイッチ８５を含む。ブロック４６の活性化信号は、図５のブロック４６に含まれる各部に供給される。またブロック４７の活性化信号は、図５のブロック４７に含まれる各部に供給される。ブロック４６と４７との両方に含まれる各部は、両方の活性化信号を受け取り、一方でも活性化信号がアサートされると動作を行なう。
【００３４】
ＡＮＤ回路８１は、ワイドエリアを視聴していることを示す信号がＨＩＧＨにアサートされ且つＷＩＤの変化を示す信号ＷＣＨがＨＩＧＨにアサートされると、その出力をＨＩＧＨにアサートする。このＡＮＤ回路８１の出力がＨＩＧＨにアサートされると、スイッチ８４がレジスタ８２に接続され、図５のブロック４６の活性化信号をＨＩＧＨにアサートする。これにより、ブロック４６に含まれる各部が活性化されて動作を行なう。ＡＮＤ回路８１の出力がＬＯＷにネゲートされると、スイッチ８４がレジスタ８３に接続され、図５のブロック４６の活性化信号をＬＯＷにネゲートする。ローカルエリアを視聴していることを示す信号がＨＩＧＨにアサートされると、スイッチ８５がレジスタ８２に接続され、図５のブロック４７の活性化信号をＨＩＧＨにアサートする。これにより、ブロック４７に含まれる各部が活性化されて動作を行なう。ローカルエリアを視聴していることを示す信号がＬＯＷにネゲートされると、スイッチ８５がレジスタ８３に接続され、図５のブロック４７の活性化信号をＬＯＷにネゲートする。
【００３５】
図１０は、図５のＷＩＤ変更判定部４２の構成の一例を示す図である。ＷＩＤ変更判定部４２は、ＨＩＧＨを格納するレジスタ９１、ＬＯＷを格納するレジスタ９２、及びスイッチ９３を含む。スイッチ９３は、図５のローカルエリアＯＩＳ処理部４０から供給されるＣＲＣチェックの結果により制御される。ＣＲＣチェックの結果が誤り無しであることを示す場合には、スイッチ９３はレジスタ９１に接続され、制御信号ＣＮＴＬがＨＩＧＨにアサートされる。ＣＲＣチェックの結果が誤り有りであることを示す場合には、スイッチ９３はレジスタ９２に接続され、制御信号ＣＮＴＬがＬＯＷにネゲートされる。なおローカルエリア放送を視聴している場合、ＷＩＤ変更判定部４２は動作していないが、このとき制御信号ＣＮＴＬがＬＯＷのネゲート状態に固定されるようにＷＩＤ変更判定部４２を構成する。これにより、ローカルエリア放送を視聴中は、制御信号ＣＮＴＬによるＷＩＤの書き替えが行なわれないようにする。
【００３６】
図１１は、本実施例の復調部のワイドエリア放送受信時の動作を示すフローチャートである。ステップＳ１で、ワイドエリア放送の受信を開始する。ステップＳ２で、受信データのＷＩＤが変化したか否かを検知する。ＷＩＤが変化すると、ステップＳ３に進む。ステップＳ３で、ローカルエリアＯＩＳを、変化後のＷＩＤ（及びＬＩＤ）を用いて復号する。ステップＳ４で、ローカルエリアＯＩＳの復号処理においてＣＲＣチェックによりエラーが検出されたか否かを判定する。エラー無しの場合には、ステップＳ６で、受信処理に用いるＷＩＤの値を変更する。ステップＳ４の判定でエラーが有りの場合には、ステップＳ５に進み、ＷＩＤが連続して所定回数（Ｎ回）同一値となるか否かを判定する。所定回数連続していない場合には、ステップＳ２に戻り以降の処理を繰り返す。所定回数連続した場合には、ステップＳ６に進み、受信処理に用いるＷＩＤの値を変更する。
【００３７】
以上、本発明を実施例に基づいて説明したが、本発明は上記実施例に限定されるものではなく、特許請求の範囲に記載の範囲内で様々な変形が可能である。
【００３８】
上記実施例では、ＭｅｄｉａＦＬＯの規格を例として、ワイドエリア切り替え処理について説明したが、本願発明は特定の規格又は方式に限定されるものではない。上記説明と同様に、ワイドエリア放送とローカルエリア放送とがあり、ワイドエリア放送のＩＤを用いてローカルエリア放送に関する情報をデコードして誤りチェックがなされるような方式であれば、本願発明を適用することができる。また更に言えば、ワイドとローカルという区分けではなくとも、第１放送と第２放送とがあり、第１放送エリアのエリアＩＤを用いて第２放送に関する情報を処理して誤りチェックがなされるような方式であれば、本願発明を適用することができる。
【符号の説明】
【００３９】
３０  ＷＩＤ算出部
３１  ＷＩＤ変更検出・確定部
３２  ＷＩＤレジスタ
３３  ワイドエリアＯＩＳ処理部
３４  ワイドエリアデータ処理部
３５  ＷＩＤ・ＬＩＤ選択制御部
３６  ローカルエリア動作制御部
３７  ＬＩＤ算出部
３８  ＬＩＤ変更検出・確定部
３９  ＬＩＤレジスタ
４０  ローカルエリアＯＩＳ処理部
４１  ローカルエリアデータ処理部
４２  ＷＩＤ変更判定部
４３、４４  スイッチ回路
【図１】
2011030086.tif 000003
【図２】
2011030086.tif 000004
【図３】
2011030086.tif 000005
【図４】
2011030086.tif 000006
【図５】
2011030086.tif 000007
【図６】
2011030086.tif 000008
【図７】
2011030086.tif 000009
【図８】
2011030086.tif 000010
【図９】
2011030086.tif 000011
【図１０】
2011030086.tif 000012
【図１１】
2011030086.tif 000013